(57)【要約】【課題】水栓金具を簡単に、かつ、見栄えよくカウンターに取り付けるための水栓金具取り付け用スペーサーを提供する。【解決手段】カウンター６に穿たれた水栓金具取り付け用の貫通孔６１に嵌入されるスペーサーＡであって、該スペーサーＡは、合成樹脂で一体成形してなり、円筒形の本体１と、この円筒形本体１の外周面縦方向に略等間隔で立設された複数本のリブ２からなるとともに、該リブ２の上端部には突起部３が延設されていることを特徴とする。【選択図】図１
2005068769.tif 000002
【特許請求の範囲】
【請求項１】
カウンターに穿たれた水栓金具取り付け用の貫通孔に嵌入されるスペーサーであって、該スペーサーは、合成樹脂で一体成形してなり、円筒形の本体と、この円筒形本体の外周面縦方向に略等間隔で立設された複数本のリブからなるとともに、該リブの上端部には突起部が延設されていることを特徴とする水栓金具取り付け用スペーサー。
【請求項２】
上記リブは上方に向かって外方に広がるテーパ形状を有するとともに、上端部で上記突起部と一体とされる請求項１に記載の水栓金具取り付け用スペーサー。
【請求項３】
カウンターに穿たれた水栓金具取り付け用の貫通孔に嵌入されるスペーサーであって、該スペーサーは、合成樹脂で一体成形してなり、円筒と、この円筒の上部外周面に略等間隔で突設された複数の突起部からなるとともに、この円筒を縦方向に切断して円筒状本体とし、切断部を自由端としたことを特徴とする水栓金具取り付け用スペーサー。
【請求項４】
上記突起部は上方に向かって外方に広がるテーパ形状を有する請求項３に記載の水栓金具取り付け用スペーサー。
【発明の詳細な説明】
【技術分野】
【０００１】
本発明は、水栓金具取り付け用スペーサーに関する。さらに詳しくは、洗面化粧台等のカウンターに、水栓金具を取り付ける際に用いる水栓金具取り付け用スペーサーに関する。
【背景技術】
【０００２】
洗面化粧台等のカウンターには、通常、水栓金具を取り付けるための貫通孔が設けられている。この貫通孔は種々のタイプの水栓金具に対応するため、多少大きめとされており、例えば、本願図１０に示す弾性を有する合成樹脂からなるスペーサーＣを嵌入し、水栓金具７ががたつかないようにして取り付けられる。すなわち、本願図１１の側断面図に示すように、このスペーサーＣで水栓金具７のベース部７１を弾性的に、タイトに固定して中心を合わせ、カウンター６の下面から座金８を介して、ナット９で締め付けるとともに、図示しない給水管を水栓金具７に接続する。上記技術以外にも、例えば、スペーサーとパッキングを用いる方法も知られている。
【特許文献１】特開平１０−２１３２５０号公報（第１−３頁、第２図、第４図）
【発明の開示】
【発明が解決しようとする課題】
【０００３】
しかしながら、本願図１１に示す取り付け方法では、カウンターの下面において作業をする必要があり、施工性が悪く、また、水栓金具のベース部周囲に段差ができるとともに、スペーサーのフランジ部がはみ出して見栄えがよくないという問題がある。そこで、本発明は、水栓金具を簡単に、かつ、見栄えよくカウンターに取り付けるための水栓金具取り付け用スペーサーを提供することを、その課題とする。
【課題を解決するための手段】
【０００４】
本発明は、上記課題を解決するために考え出されたものであって、つぎのような技術的手段を講じている。すなわち、本願第一発明によれば、カウンターに穿たれた水栓金具取り付け用の貫通孔に嵌入されるスペーサーであって、該スペーサーは、合成樹脂で一体成形してなり、円筒形の本体と、この円筒形本体の外周面縦方向に略等間隔で立設された複数本のリブからなるとともに、該リブの上端部には突起部が延設されていることを特徴とする水栓金具取り付け用スペーサーが提供される。好ましくは、上記リブが上方に向かって外方に広がるテーパ形状を有するものとされる。
【０００５】
本願第二発明は、カウンターに穿たれた水栓金具取り付け用の貫通孔に嵌入されるスペーサーであって、該スペーサーは、合成樹脂で一体成形してなり、円筒と、この円筒の上部外周面に略等間隔で突設された複数の突起部からなるとともに、この円筒を縦方向に切断して円筒状本体とし、切断部を自由端としたことを特徴とする水栓金具取り付け用スペーサーが提供される。好ましくは、上記突起部が上方に向かって外方に広がるテーパ形状を有するものとされる。
【発明の効果】
【０００６】
請求項１に記載の第一発明は上記のとおりであり、とくに、円筒形の本体と、この円筒形本体の外周面縦方向に略等間隔で立設された複数本のリブからなるとともに、該リブの上端部には突起部が延設されているため、この突起部が水栓金具を押し込むときの荷重によって押し潰され、あるいは、貫通孔の内側に落とし込まれる。その結果、水栓金具のベース部をカウンターの上面と面一に、見栄えよく取り付けることができる。
【０００７】
上記リブは上方に向かって外方に広がるテーパ形状を有するとともに、上端部で上記突起部と一体とされるため、貫通孔内壁にタイトに当接したリブが、中心を合わせてしっかりとスペーサーを支持し、作業性よく水栓金具を取り付けることができる。
【０００８】
請求項３に記載の本願第二発明は上記のとおりであり、とくに、円筒を縦方向に切断して円筒状本体とし、切断部を自由端としているため、合成樹脂で一体成形してなる円筒状本体に半径方向に広がる弾性的な反発力が発生し、この反発力によって、スペーサーが貫通孔の内壁にしっかりと係止される。その結果、中心を合わせて、水栓金具を作業性よく取り付けることができる。
【０００９】
上記突起部は、上方に向かって外方に広がるテーパ形状を有しているため、水栓金具を押し込むときの荷重によって、容易に貫通孔の内側に落とし込まれ、あるいは押し潰される。その結果、水栓金具のベース部をカウンターの上面と面一に、見栄えよく取り付けることができる。
【発明を実施するための最良の形態】
【００１０】
以下、本発明の実施形態について図面を参照して、詳細に説明する。図１は、第一発明にかかる水栓金具取り付け用スペーサーＡを示す斜視図である。図１において、スペーサーＡは、合成樹脂で一体成形してなるとともに、円筒形の本体１と、本体１の外周面縦方向に略等間隔で立設された１０本のリブ２から構成され、リブ２の上端部には突起部３が延設されている。図２は、図１に示すスペーサーＡの変形例を示す側面図であり、リブ２が上方に向かって外方に広がるテーパ形状を有するとともに、上端部で上記突起部３と一体とされている。
【００１１】
図３、図４は、上記スペーサーＡを用い、水栓金具７をカウンター６に設けられた貫通孔６１に取り付ける実施形態を説明する説明図である。まず、図３に示すように、円筒形本体１の外周面縦方向に立設されたリブ２を貫通孔６１の内壁にタイトに当接させ、中心を合わせてスペーサーＡを貫通孔６１に嵌入する。ついで、図４に示すように、水栓金具７を押し込んで取り付ける。このとき、当初、貫通孔６１の周縁部に載置され、カウンターの上面に出ていた突起部３は、押し込むときの荷重によって水栓金具７のベース部７１で押し潰され、あるいは水栓金具７の給水部７２とともに、貫通孔６１の内側に落とし込まれる。このようにすることによって、水栓金具７のベース部７１はカウンター６の上面と面一になり、図７に示す公知のスペーサーにおいて見られたフランジ部のはみ出しを解消し、見栄えよく取り付けることができる。
【００１２】
図５、図６は、第二発明にかかる水栓金具取り付け用スペーサーＢを示す平面図および側面図であり、図７は、第二発明にかかる水栓金具取り付け用スペーサーＢの変形例を示す側面図である。スペーサーＢは、合成樹脂で一体成形してなるとともに、図５、図６に示すように、縦方向に切断され、切断部４１を自由端とした円筒状本体４と、この円筒状本体４の上部外周面に略等間隔で設けられた１０個の突起部５から構成されている。円筒状本体４は、円筒に成型した弾性を有する合成樹脂を縦方向に切断して形成するため、貫通孔６１に嵌入したとき、円筒状本体４は、その反発力によって貫通孔６１の内壁にしっかりと弾性係止される。図７は、図５、に示すスペーサーＢの変形例を示す側面図であり、突起部５が上方に向かって外方に広がるテーパ形状とされている。
【００１３】
図８、図９は、図７に示した第二発明にかかるスペーサーＢの変形例を用い、水栓金具７をカウンター６に穿たれた貫通孔６１に取り付ける実施形態を説明する説明図である。図８に示すように、また、図５、図６において説明したように、円筒状本体４は、円筒に成型した合成樹脂を縦方向に切断して形成するため、貫通孔６１に嵌入したとき、円筒状本体４は、その反発力によって貫通孔６１の内壁にしっかりと弾性係止される。また、本実施形態においては、突起部５が上方に向かって外方に広がるテーパ形状を有しているため、突起部５を貫通孔６１の周縁に載置し、ついで、図９に示すように、水栓金具７を押し込んで取り付ける。このとき、突起部５は、押し込むときの荷重により水栓金具７の給水部７２とともに、貫通孔６１の内側に落とし込まれ、あるいは、水栓金具７のベース部７１で押し潰される。したがって、既述したように、水栓金具７のベース部７１はカウンターの上面と面一になり、見栄えよく水栓金具７をカウンター６に取り付けることができる。なお、本実施形態においても円筒状本体の外周面縦方向に既述したリブを立設することも可能であり、また、このリブが上方に向かって外方に広がるテーパ形状を有していてもよい。このように本発明は、種々に設計変更可能であり、いずれも本発明の技術的範囲に含まれる。
【図面の簡単な説明】
【００１４】
【図１】第一発明にかかる水栓金具取り付け用スペーサーを示す斜視図である。
【図２】図１に示すスペーサーの変形例を示す側面図である。
【図３】図１に示すスペーサーを用い、水栓金具を貫通孔に取り付ける実施形態を説明する説明図である。
【図４】図１に示すスペーサーを用い、水栓金具を貫通孔に取り付ける実施形態を説明する説明図である。
【図５】第二発明にかかる水栓金具取り付け用スペーサーを示す平面図である。
【図６】第二発明にかかる水栓金具取り付け用スペーサーを示す側面図である。
【図７】第二発明にかかる水栓金具取り付け用スペーサーの変形例を示す側面図である。
【図８】図７に示すスペーサーを用い、水栓金具を貫通孔に取り付ける実施形態を説明する説明図である。
【図９】図７に示すスペーサーを用い、水栓金具を貫通孔に取り付ける実施形態を説明する説明図である。
【図１０】公知のスペーサーを示す斜視図である。
【図１１】図１０に示すスペーサーを用い、水栓金具を貫通孔に取り付けた実施形態を示す部分側断面図である。
【符号の説明】
【００１５】
Ａ          第一発明にかかるスペーサー
１          円筒形本体
２          リブ
３          突起部
６          カウンター
６１        貫通孔
７          水栓金具
７１        同上ベース部
７２        同上給水部
Ｂ          第二発明にかかるスペーサー
４          円筒状本体
４１        切断部
５          突起部
Ｃ          公知のスペーサー
８          座金
９          ナット
【図１】
2005068769.tif 000003
【図２】
2005068769.tif 000004
【図３】
2005068769.tif 000005
【図４】
2005068769.tif 000006
【図５】
2005068769.tif 000007
【図６】
2005068769.tif 000008
【図７】
2005068769.tif 000009
【図８】
2005068769.tif 000010
【図９】
2005068769.tif 000011
【図１０】
2005068769.tif 000012
【図１１】
2005068769.tif 000013